(57)【要約】【課題】ナットとシャーボルトとの締結作業中であっても、ユーザが締結作業に関する情報を容易に確認できるようにする。【解決手段】電動工具１は、シャーボルトが係合するインナーソケット４０を有するヘッド部３０と、工具本体１０におけるヘッド部３０よりも下側に設けられ、シャーボルトの回転軸と交差する方向に延び、ユーザの手で握られるハンドル部５０とを備える。工具本体１０には、ハンドル部５０における、実際にユーザに握られる把持部５１よりも上側の部分に、ナットとシャーボルトとの締結作業に関する情報を表示する表示装置９０が設けられている。【選択図】図１
2020075346.tif 000002
【特許請求の範囲】
【請求項１】
ナットとシャーボルトと締結させる電動工具であって、
工具本体と、
上記工具本体に内蔵された電動モータと、
上記工具本体に設けられ、上記シャーボルトが係合するソケットを有する被作動部と、
上記工具本体における上記被作動部よりも下側に設けられ、ユーザの手で握られるハンドル部と、
上記ハンドル部よりも下側に配置され、上記電動モータを駆動するための電力が蓄えられたバッテリとを備え、
上記工具本体には、上記ハンドル部における、実際にユーザに握られる把持部よりも上側の部分に、上記ナットと上記シャーボルトとの締結作業に関する情報を表示する表示部が設けられていることを特徴とする電動工具。
【請求項２】
請求項１に記載の電動工具において、
上記被作動部における上記ソケット側を前側として、
上記表示部は、上記工具本体における後側の面部に設けられていることを特徴とする電動工具。
【請求項３】
請求項２に記載の電動工具において、
上記ハンドル部の後端部は、上記被作動部の後端部よりも後側に位置しており、
上記ハンドル部の後端部と上記被作動部の後端部との間の領域には、上記ハンドル部の上端から上側に向かって延設された上方延設部が設けられており、
上記表示部は、上記上方延設部に設けられていることを特徴とする電動工具。
【請求項４】
請求項１〜３のいずれか１つに記載の電動工具において、
上記表示部に表示される情報は、締結させた上記シャーボルトの本数をカウントした回数という情報を含むことを特徴とする電動工具。
【請求項５】
請求項１〜４のいずれか１つに記載の電動工具において、
上記表示部に表示される情報は、上記ナットと上記シャーボルトとを締結させているときに、上記電動モータにかかる負荷という情報を含むことを特徴とする電動工具。
【発明の詳細な説明】
【技術分野】
【０００１】
本発明は、電動工具に関する技術分野に属する。
【背景技術】
【０００２】
従来より、ナットとシャーボルトとを締結させる電動工具が知られている。
【０００３】
例えば、特許文献１には、着脱可能にされる充電式バッテリを電源として本機に装着し且つ該充電式バッテリからの電力により該本機に内蔵されるモータを駆動させてボルトにナットを締め付けるナット締付け機（電動工具）であって、本機に装着された充電式バッテリの周囲には、該周囲の一部もしくは全部を覆うケース部が設けられており、ケース部には、前記モータの駆動を制御する制御部から送られる情報を表示する表示部が設けられている、ナット締付け機が開示されている。
【０００４】
この特許文献１では、表示部は、ユーザが握るハンドル部よりも下側の位置に配設されている。
【先行技術文献】
【特許文献】
【０００５】
【特許文献１】特開２０１６−１０８３５号公報
【発明の概要】
【発明が解決しようとする課題】
【０００６】
ところで、ユーザが電動工具のハンドル部を握ったときには、該ユーザの腕により、電動工具におけるハンドル部よりも下側の部分が少なくとも部分的に覆い隠される。特に、電動工具に強いトルクがかかるときには、ユーザが両手でハンドル部を握ることがあり、この場合には、より多くの部分がユーザの腕により覆い隠される。このため、上記特許文献１のように、表示部がハンドル部よりも下側に設けられていると、ユーザは、表示部に表示された情報を確認しにくい。また、表示部に表示された情報を確認するために、ユーザが、電動工具を傾けたり、体を動かしたりすると、ナットの回転軸がずれて、締結作業に悪影響を及ぼすおそれがある。
【０００７】
本発明は、斯かる点に鑑みてなされたものであり、その目的とするところは、ナットとシャーボルトとの締結作業中であっても、ユーザが締結作業に関する情報を容易に確認できるようにすることにある。
【課題を解決するための手段】
【０００８】
上記課題を解決するために、本発明は、ナットとシャーボルトと締結させる電動工具を対象として、工具本体と、上記工具本体に内蔵された電動モータと、上記工具本体に設けられ、上記シャーボルトが係合するソケットを有する被作動部と、上記工具本体における上記被作動部よりも下側に設けられ、ユーザの手で握られるハンドル部と、上記ハンドル部よりも下側に配置され、上記電動モータを駆動するための電力が蓄えられたバッテリとを備え、上記工具本体には、上記ハンドル部における、実際にユーザに握られる把持部よりも上側の部分に、上記ナットと上記シャーボルトとの締結作業に関する情報を表示する表示部が設けられている、という構成とした。
【０００９】
この構成によると、表示部は、ハンドル部における、実際にユーザに握られる把持部よりも上側に位置しているため、ユーザが把持部を握ったとしても、該ユーザの腕により表示部が覆い隠されることがない。このため、締結作業中であっても、ユーザが締結作業に関する情報を容易に確認できる。
【００１０】
特に、この構成によると、ユーザは、電動工具を傾けたり、体を動かしたりすることなく、締結作業に関する情報を確認できる。このため、表示部に表示された情報を確認する際に、締結作業に悪影響を及ぶのを抑えることができる。
【００１１】
上記電動工具において、上記被作動部における上記ソケット側を前側として、上記表示部は、上記工具本体における後側の面部に設けられている、という構成であってもよい。
【００１２】
締付作業においては、通常、ユーザは後側に位置するため、上記の構成よると、ユーザが締結作業に関する情報を特に確認しやすい。よって、ユーザが締結作業に関する情報をより容易に確認できる。
【００１３】
上記電動工具において、上記ハンドル部の後端部は、上記被作動部の後端部よりも後側に位置しており、上記ハンドル部の後端部と上記被作動部の後端部との間の領域には、上記ハンドル部の上端から上側に向かって延設された上方延設部が設けられており、上記表示部は、上記上方延設部に設けられている、という構成であってもよい。
【００１４】
この構成によると、上記ハンドル部の後端部と上記被作動部の後端部との間の領域を有効に活用して、表示部を備えた電動工具の構成をコンパクトにすることができる。
【００１５】
上記電動工具において、上記表示部に表示される情報は、上記表示部に表示される情報は、締結させた上記シャーボルトの本数をカウントした回数という情報を含む、という構成であってもよい。
【００１６】
シャーボルトを締め付けた本数は締結作業に関する情報である。このため、上記構成によると、ユーザが締結作業に関する情報を容易に確認できるという効果を効果的に発揮することができる。
【００１７】
上記電動工具において、上記表示部に表示される情報は、上記ナットと上記シャーボルトとを締結させているときに、上記電動モータにかかる負荷という情報を含む、という構成であってもよい。
【００１８】
電動モータにかかる負荷は締結作業に関する情報である。このため、上記構成によると、ユーザが締結作業に関する情報を容易に確認できるという効果をより効果的に発揮することができる。
【発明の効果】
【００１９】
以上説明したように、本発明に係る電動工具によると、表示部がハンドル部の把持部よりも上側に位置しているため、ユーザが把持部を握ったとしても、該ユーザの腕により覆い隠されることがない。これにより、ナットとシャーボルトとの締結作業中であっても、ユーザが締結作業に関する情報を容易に確認できる。
【図面の簡単な説明】
【００２０】
【図１】本発明の実施形態に係る電動工具を、斜め後側から見た斜視図である。
【図２】電動工具を後側から見た背面図である。
【図３】電動工具を右側から見た側面図である。
【図４】図２のIV-IV線相当の断面図である。
【図５】電動工具で締結されるナット及びシャーボルトの概略図である。
【図６】表示部の構成を示す分解斜視図である。
【図７】電動工具の制御系を示すブロック図である。
【図８】表示部に表示される情報の一例を示す拡大図である。
【発明を実施するための形態】
【００２１】
以下、本発明の実施形態を図面に基づいて詳細に説明する。
【００２２】
図１は、本実施形態に係る電動工具１を示す。この電動工具１は、図５に示すようなナット１００をシャーボルト１０１に締結するための電動工具であり、シャーレンチやトルシアレンチとも称される電動工具である。尚、以下の説明において、電動工具１に関する前後方向、左右方向、及び、上下方向は図１に示す矢印に従うものとする。
【００２３】
図５に示すように、シャーボルト１０１は、ナット１００に締結される締結部１０１ａと、電動工具１に係合されるチップ部１０１ｂと、締結部１０１ａとチップ部１０１ｂとの間に設けられた脆弱部１０１ｃとを有する。電動工具１は、チップ部１０１ｂと係合してシャーボルト１０１を固定した状態で、ナット１００に回転力を付与して、ナット１００を締結部１０１ａに締結させる。電動工具１は、ナット１００を締結部１０１ａにある程度締結させた後に、更にナット１００に回転力を付与することで、脆弱部１０１ｃを剪断させて、締結部１０１ａとチップ部１０１ｂとを切り離す。以下の説明において、締結作業とは、シャーボルト１０１の締結部１０１ａをナット１００に締結させて、チップ部１０１ｂを締結部１０１ａから切り離すまでのことを表す。
【００２４】
電動工具１は、工具本体１０を備える。工具本体１０には、駆動源としての電動モータ２１が内蔵されるモータ部２０が設けられている。工具本体１０には、電動モータ２１の回転力をナット１００に伝達して該ナット１００を回転させるためのヘッド部３０（被作動部）が設けられている。工具本体１０には、ヘッド部３０よりも下側に設けられ、ヘッド部３０の延びる方向（すなわち、ナット１００の回転軸方向）と交差する方向に延び、ユーザの手で握られるハンドル部５０が設けられている。また、工具本体１０には、ハンドル部５０よりも下側において、電動モータ２１を回転駆動するための電力が蓄えられたバッテリ６０が装着されている。
【００２５】
モータ部２０は、上下方向に延びるモータハウジング２２（図１等参照）を有する。電動モータ２１は、図４に示すように、モータ軸２３が上下方向に延びるようにモータハウジング２２内に配設されている。電動モータ２１は、モータ軸２３に固定されたロータ２４と、ロータ２４の外周を囲むように配設されたステータ２５とを有する。モータ軸２３は、上下にそれぞれ配置されたベアリング２６により回転可能に支持されている。電動モータ２１の動作は、コントロールユニット１１０により制御されている。コントロールユニット１１０は、電動モータ２１に流す電流の大きさから電動モータ２１にかかる負荷を算出可能に構成されている。詳しくは、コントロールユニット１１０は、電動モータ２１に流す電流値が大きいほど、大きい負荷を算出する。電動モータ２１は、接続回路６１によりバッテリ６０（厳密には、バッテリ本体６３）と接続されている。
【００２６】
工具本体１０において、モータハウジング２２の上側の部分には、モータ側載置部１１が設けられている。モータ側載置部１１は、モータハウジング２２よりも後側に延設されている。該モータ側載置部１１には、図３に示すように、連結部１２を介して、ヘッド部３０が載置されている。ヘッド部３０は、連結部１２を介して、モータ部２０及びハンドル部５０と連結されている。ヘッド部３０の下側の部分は、連結部１２に載置するヘッド側載置部３１となっている。ヘッド側載置部３１と連結部１２とは複数のボルト７０により結合されている。連結部１２とモータ側載置部１１も、複数のボルト（図示省略）によって結合されている。
【００２７】
モータ側載置部１１、連結部１２、及びヘッド側載置部３１におけるモータ軸２３に対応する部分には、上下方向に貫通する貫通孔がそれぞれ設けられている。モータ軸２３の上端部は、各貫通孔を貫通して、ヘッド部３０内に臨んでいる。
【００２８】
ヘッド部３０のヘッドハウジング３２（図１等参照）内には、電動モータ２１の回転力をナット１００に伝達するための伝達機構が設けられている。具体的には、図４に示すように、電動モータ２１のモータ軸２３の上端部にはピニオンギヤ２８が形成されている。ピニオンギヤ２８は、ヘッドハウジング３２内に配置された第１中間ギヤ３３と噛合している。第１中間ギヤ３３は、第２中間ギヤ３４と噛合している。第２中間ギヤ３４には、該第２中間ギヤ３４の回転軸と同軸になるように、第３中間ギヤ３５の軸部３５ａが嵌合している。第３中間ギヤ３５の上端部はベベルギヤ３５ｂとなっており、このベベルギヤ３５ｂに、第４中間ギヤ３６の後端部に設けられたベベルギヤ３６ａが噛合している。これにより、モータ軸２３から伝達される回転力による回転の回転軸が上下方向から前後方向に変換される。
【００２９】
第４中間ギヤ３６のベベルギヤ３６ａからは前側に向かって入力軸３６ｂが延びている。入力軸３６ｂの前端部には、サンギヤ３６ｃが設けられている。サンギヤ３６ｃは、第１遊星ギヤ列３７に噛合している。第１遊星ギヤ列３７に伝達された回転力は、該第１遊星ギヤ列３７の前側に配設された第２遊星ギヤ列３８に伝達される。第２遊星ギヤ列３８に伝達された回転力は、該第２遊星ギヤ列３８の前側に配設された第３遊星ギヤ列３９に伝達される。第３遊星ギヤ列３９に伝達された回転力は、ナット１００が係合するアウターソケット４３に伝達される。そして、アウターソケット４３が回転することで、該アウターソケット４３に係合されたナット１００が回転する。以上のようにして、電動モータ２１の回転力がナット１００に伝達される。ベベルギヤ３６ａ、第１〜第３遊星ギヤ列３７〜３９、及び、アウターソケット４３は互いに同軸になるように配設されている。
【００３０】
アウターソケット４３の前側端部における内周面には、ナット１００に嵌合するナット嵌合部４５が設けられている。ナット１００がナット嵌合部４５に嵌合することで、該ナット１００はアウターソケット４３と共に回転するようになる。
【００３１】
アウターソケット４３の内側にはインナーソケット４０が設けられている。インナーソケット４０は、アウターソケット４３が回転したとしても、回転しないように固定されている。インナーソケット４０の内周面には、シャーボルト１０１のチップ部１０１ｂと嵌合するチップ嵌合部４１が設けられている。チップ嵌合部４１には、チップ部１０１ｂが嵌合した状態で、シャーボルト１０１がインナーソケット４０に対して相対移動しないように固定するチップ固定機構が設けられている。詳細な図示は省略するが、チップ固定機構は、バネ軸がインナーソケット４０の径方向に延びるように配設されたバネ部材４２と、該バネ部材４２における上記径方向の内側の端部に設けられたスチールボール４４とで構成されている。チップ部１０１ｂがチップ嵌合部４１に嵌合したときには、スチールボール４４がバネ部材４２の付勢力によって、チップ部１０１ｂに押し付けられることで、シャーボルト１０１のチップ部１０１ｂがインナーソケット４０に対して相対移動しないように固定される。
【００３２】
アウターソケット４３の回転により、ナット１００がシャーボルト１０１に対して回転しない程度にまで締結された後、更にアウターソケット４３を回転させると、ナット１００とシャーボルト１０１とが共回りする。このとき、チップ部１０１ｂはインナーソケット４０に固定されているため、締結部１０１ａとチップ部１０１ｂとが相対的に変位する。締結部１０１ａとチップ部１０１ｂとの相対変位により、脆弱部１０１ｃに回転トルクが集中して、脆弱部１０１ｃが剪断される。これにより、締結部１０１ａとチップ部１０１ｂとが切り離される。このように締結作業を行うことで、ナット１００とシャーボルト１０１とが強固に締結される。
【００３３】
上記締結作業において、締結部１０１ａとチップ部１０１ｂとが切り離された直後には、インナーソケット４０内にチップ部１０１ｂが残る。工具本体１０内には、インナーソケット４０内に残ったチップ部１０１ｂを排出するためのチップ排出機構８０が設けられている。チップ排出機構８０は、図４に示すように、チップロッド８１と、チップロッド８１の後端部と係合してチップロッド８１が変位しないように制限するストッパ８２と、ストッパ８２から下側に延びる連結ロッド８３と、連結ロッド８３の下端部と係合しかつ前後方向にスライド可能なスライダ８４と、スライダ８４を前後方向にスライドさせるレバー８５とを有する。
【００３４】
図４に示すように、チップロッド８１の周囲は、バネ軸がインナーソケット４０の軸方向と同軸になるように配置された第１スプリング８６が設けられている。チップロッド８１には、第１スプリング８６の一端が接合されている。第１スプリング８６は、チップロッド８１に付勢力を付与していない無負荷状態から、該チップロッド８１が後側に向かって移動したときに、該チップロッド８１に前側に向かう付勢力を付与するように構成されている。
【００３５】
チップロッド８１の後端部には、ストッパ８２により係止される被係止部８１ａが形成されている。被係止部８１ａは、後側に向かって径が小さくなる円錐台がチップロッド８１の軸方向に複数連なった形状をなしている。
【００３６】
ストッパ８２は、チップロッド８１の被係止部８１ａと係合する係合孔８２ａを有している。係合孔８２ａの上側の部分は、図４に示すように、後側に向かって下側に傾斜した傾斜面となっている。該傾斜面は、被係止部８１ａのテーパ部の外周面の傾斜に適合するように傾斜している。ストッパ８２の上側には、該ストッパ８２を下側に向かって付勢する第２スプリング８７が設けられている。該第２スプリング８７が、ストッパ８２を下側に向かって付勢することで、ストッパ８２の係合孔８２ａの傾斜面が、チップロッド８１の被係止部８１ａに押し付けられる。これにより、チップロッド８１に第１スプリング８６からの前側への付勢力が付与されていても、被係止部８１ａがストッパ８２に引っ掛かって、チップロッド８１の前側への移動が制限される。
【００３７】
図４に示すように、スライダ８４は、モータ側載置部１１と連結部１２との間に配設されている。スライダ８４はレバー８５と接合されている。レバー８５は、第３スプリング８８により前側に向かって付勢されており、これにより、スライダ８４も前側に向かって付勢されている。スライダ８４には、連結ロッド８３の下端部が係合するロッド係合孔が設けられている。ロッド係合孔は、レバー８５が操作されていない状態において連結ロッド８３の下端部が係合するような位置に形成されている。
【００３８】
実際に、インナーソケット４０にシャーボルト１０１のチップ部１０１ｂが挿入されたときには、チップロッド８１が第１スプリング８６の付勢力に抗して後側に移動して、図４に示すように、チップロッド８１の前端のみがインナーソケット４０内に突出した状態になる。このとき、ストッパ８２は、被係止部８１ａにおける相対的に前側に位置する部分と係合する。また、連結ロッド８３の下端部は、スライダ８４のロッド係合孔に係合した状態になる。
【００３９】
上記の状態から、レバー８５を第３スプリング８８の付勢力に抗して後側に移動させると、スライダ８４が後側に移動して、ロッド係合孔と連結ロッド８３との係合が解除されて、連結ロッド８３がスライダ８４の上面に乗り上げられる。これにより、連結ロッド８３がストッパ８２を押し上げて、該ストッパ８２が第２スプリング８７の付勢力に抗して上側に移動する。この結果、被係止部８１ａとストッパ８２との係合が解除されて、チップロッド８１は、第１スプリング８６の付勢力によって前側へ移動する。このとき、締結部１０１ａと切り離されたチップ部１０１ｂがインナーソケット４０内に残っていれば、チップロッド８１の前側への移動によって、チップ部１０１ｂが押し出されて、インナーソケット４０内から排出される。
【００４０】
ハンドル部５０は、ナット１００の回転軸方向と交差する方向、具体的には、上下方向に延びている。ハンドル部５０は、図１、図３及び図４に示すように、工具本体１０におけるモータ部２０よりも後側の部分に配設されている。ハンドル部５０の後端部は、ヘッド部３０の後端部よりも後側に位置する。ハンドル部５０の後端部とヘッド部３０の後端部との間の領域には、ハンドル部５０の上端から、該ハンドル部５０と一体に上側に延設された上方延設部５４が設けられている。
【００４１】
ハンドル部５０は、ユーザが実際に握る把持部５１を有する。ハンドル部５０は、上下方向において、ユーザが把持部５１に加えて、ハンドル部５０における把持部５１よりも上側の部分を掴むことができる程度の長さを有している。
【００４２】
ハンドル部５０における上側かつ前側の部分には、ユーザが操作する操作レバー５２が設けられている。操作レバー５２は、ハンドル部５０内に設けられた操作スイッチ５３と連結されている。ユーザが操作レバー５２を引き操作すると、操作スイッチ５３からコントロールユニット１１０にオン信号が送られて、電動モータ２１が作動して、アウターソケット４３が回転する。操作スイッチ５３は、操作レバー５２が引き操作されている間はコントロールユニット１１０にオン信号を送り続ける一方、操作レバー５２の引き操作が解除されたときには、オン信号の送信を停止させるようになっている。このため、ユーザが操作レバー５２を引き操作している間は、アウターソケット４３が回転し続ける一方で、ユーザが操作レバー５２の引き操作を解除したときには、アウターソケットの回転が停止する。
【００４３】
バッテリ６０は、図１〜図４に示すように、工具本体１０における、モータ部２０及びハンドル部５０の下側の位置に装着されている。バッテリ６０は、バッテリケース６２と、バッテリケース６２内に配設されかつ電力が蓄えられるバッテリ本体６３を有する。バッテリ６０が工具本体１０に装着された状態で、バッテリ本体６３の端子は接続回路６１に電気的に接続されるようになっている。これにより、バッテリ本体６３に蓄えられた電力が電動モータ２１に供給可能になる。
【００４４】
本実施形態では、工具本体１０には、ハンドル部５０における把持部５１よりも上側の部分に、締結作業に関する情報（以下、締結情報という）を表示する表示装置９０（表示部）が設けられている。図１及び図２に示すように、表示装置９０は、工具本体１０における後側の面部に設けられている。
【００４５】
表示装置９０は、図６に示すように、回路基板９１と、該回路基板９１に取り付けられるカバー部９２とを有する。回路基板９１には、複数の孔９１ａが設けられており、カバー部９２には、該孔９１ａに対応する位置に爪部９２ａがそれぞれ設けられている。複数の爪部９２ａが孔９１ａにそれぞれ係合することで、カバー部９２が回路基板９１に取り付けられるようになっている。
【００４６】
回路基板９１には、実際に締結情報が表示される液晶装置９３が設けられている。回路基板９１における液晶装置９３の下側の位置には、液晶装置９３に表示される締結情報を操作するための第１スイッチ９４と、液晶装置９３の後側に設けられたバックライト９３ａを操作するための第２スイッチ９５とが接続されている。第１スイッチ９４と第２スイッチ９５とは左右方向に並んで配値されている。第１スイッチ９４は、その先端に設けられた第１押圧部９４ａがユーザにより押されて作動する。第２スイッチ９５は、その先端に設けられた第２押圧部９５ａがユーザにより押されて作動する。詳しくは後述するが、本実施形態では、第１スイッチ９４は、リセットボタンとして構成されている。
【００４７】
カバー部９２は、液晶装置９３に対応する位置が透明部９２ｂになっている。ユーザは、この透明部９２ｂを介して、液晶装置９３に表示される締結情報を視認することができる。つまり、この透明部９２ｂの部分が表示画面に相当する。また、カバー部９２には、第１スイッチ９４の第１押圧部９４ａ及び第２スイッチ９５の第２押圧部９５ａに対応する位置に、貫通孔９２ｃがそれぞれ設けられている。回路基板９１にカバー部９２が取り付けられた状態で、第１押圧部９４ａ及び第２押圧部９５ａがそれぞれ挿入される。
【００４８】
表示装置９０は、上方延設部５４にカバー部９２が露出するように嵌め込まれている。これにより、表示装置９０は、把持部５１を含むハンドル部５０よりも上側に位置するようになる。
【００４９】
図７には、本実施形態に係る電動工具１の制御系を示す。電動工具１の制御手段であるコントロールユニット１１０は、周知のマイクロコンピュータをベースとするコントローラーである。コントロールユニット１１０は、ＣＰＵ１１１、メモリ１１２、入出力バス１１３等を備えている。ＣＰＵ１１１は、コンピュータプログラム（ＯＳ等の基本制御プログラム、及び、ＯＳ上で起動されて特定機能を実現するアプリケーションプログラムを含む）を実行する中央演算処理装置である。メモリ１１２は、ＲＡＭ及びＲＯＭにより構成されている。ＲＯＭには、種々のコンピュータプログラムや、該コンピュータプログラムの実行時に用いられる後述のマップを含むデータ等が格納されている。ＲＡＭは、ＣＰＵ１１１が一連の処理を行う際に使用される処理領域が設けられるメモリである。入出力バス１１３は、コントロールユニット１１０に対して電気信号の入出力をするものである。
【００５０】
コントロールユニット１１０は、操作スイッチ５３、バッテリ本体６３及び回路基板９１等に接続されている。コントロールユニット１１０は、上述したように、電動モータ２１に流す電流の大きさから電動モータ２１にかかる負荷を算出する。また、コントロールユニット１１０は、電動モータ２１にかかる負荷の変化（厳密には、電流値の変化）からナット１００とシャーボルト１０１との締結作業が完了したか否か、すなわち、シャーボルト１０１の締結部１０１ａとチップ部１０１ｂとが切り離されたか否かを判定する。
【００５１】
本実施形態では、表示装置９０には、上記締結作業に関する情報として締結させたシャーボルト１０１の本数をカウントした回数（以下、カウント数という）という情報が表示されるようになっている。コントロールユニット１１０は、上記締結作業が完了したと判定したときには、メモリ１１２に現在記憶されているカウント数に１を加える。回路基板９１は、コントロールユニット１１０からカウント数に関する信号を受信して、図８に示すように、液晶装置９３に該カウント数を表示する。
【００５２】
回路基板９１は、作業者により第１スイッチ９４が押されたときには、コントロールユニット１１０にリセット信号を送る。コントロールユニット１１０は、リセット信号を受けたときには、メモリ１１２に記憶されているカウント数をゼロにする。これにより、回路基板９１が、コントロールユニット１１０からカウント数に関する信号を受信したときには、液晶装置９３に表示されるカウント数はゼロになる。
【００５３】
回路基板９１は、作業者により第２スイッチ９５が押されたときには、コントロールユニット１１０にバックライト９３ａの起動信号を送る。コントロールユニット１１０は、上記起動信号を受けたときには、バッテリ本体６３から回路基板９１に、バックライト９３ａを起動するのに必要な電力を供給させる。これにより、バックライト９３ａが起動する。
【００５４】
したがって、本実施形態によると、工具本体１には、ハンドル部５０における、実際にユーザに握られる把持部５１よりも上側の部分に、上記締結作業に関する情報を表示する表示装置９０が設けられている。これにより、ユーザが把持部５１を握ったとしても、該ユーザの腕により、表示装置９０の表示画面が覆い隠されることがない。このため、上記締結作業中であっても、ユーザは上記締結作業に関する情報を容易に確認することができる。
【００５５】
特に、本実施形態では、電動工具１を傾けたり、ユーザが体を動かしたりすることなく、上記締結作業を行っている体勢のままユーザが上記締結作業に関する情報を確認することができる。このため、表示装置９０に表示された情報を確認する際に、上記締結作業に悪影響を及ぶのを抑えることができる。
【００５６】
ここで、シャーボルト１０１の脆弱部１０１ｃを剪断して、締結部１０１ａとチップ部１０１ｂとを切り離すときには、電動工具１に比較的大きなトルクがかかるため、ユーザがハンドル部５０を両手で保持することがある。これに対して、本実施形態では、表示装置９０は、ハンドル部５０から上側に延設された上方延設部５４に設けられている。これにより、ユーザがハンドル部５０を両手で保持した場合であっても、該ユーザは表示装置９０の表示画面を視認することができる。このため、ユーザは上記締結作業に関する情報をより容易に確認することができる。
【００５７】
また、表示装置９０が上方延設部５４に設けられていることにより、ハンドル部５０の後端部とヘッド部３０の後端部との間の領域を有効活用して、電動工具１の構成をコンパクトにすることができる。
【００５８】
さらに、本実施形態では、表示装置９０は、工具本体１における後側の面部に設けられている。通常、上記締付作業時においては、ユーザは電動工具１の後側に位置するため、上記の構成であれば、ユーザが上記締結作業に関する情報を特に確認しやすい。よって、ユーザが上記締結作業に関する情報を一層容易に確認することができる。
【００５９】
また、本実施形態では、表示装置９０には、上記締結作業に関する情報として、締結させたシャーボルト１０１のカウント数が表示される。ユーザが上記締結作業に関する情報を容易に確認できるという効果を効果的に発揮することができる。また、締結させたシャーボルト１０１のカウント数が表示されれば、ユーザは作業の進捗状況を確認することができるため、結果的に、上記締結作業の効率を向上させることができる。
【００６０】
本発明は、上記実施形態に限られるものではなく、請求の範囲の主旨を逸脱しない範囲で代用が可能である。
【００６１】
例えば、上述の実施形態では、表示装置９０に表示される情報は、締結させたシャーボルト１０１のカウント数であった。これに限らず、表示装置９０に表示される情報に、ナット１００とシャーボルト１０１に締結させているときに、電動モータ２１にかかる負荷という情報が含まれていてもよい。この構成では、ユーザは、表示装置９０に表示される情報に基づいて、電動工具１を支持する力を調整することができる。
【００６２】
また、上述の実施形態において、第１押圧部９４ａは、その軸方向の長さが、貫通孔９２ｃの貫通方向の長さよりも短く設計されていてもよい。この構成では、回路基板９１にカバー部９２が取り付けられた状態では、第１押圧部９４ａの先端は貫通孔９２ｃの途中に位置する。これにより、上記締結作業中に、ユーザが誤って第１スイッチ９４を押してしまうのを抑制することができる。
【００６３】
一方で、上述の実施形態において、第２押圧部９５ａは、その軸方向の長さが、貫通孔９２ｃの貫通方向の長さよりも長く設計されていてもよい。この構成では、回路基板９１にカバー部９２が取り付けられた状態では、第２押圧部９５ａの先端は貫通孔９２ｃよりも後側に突出する。これにより、ユーザは把持部５１を握っている状態で、第２スイッチ９５を容易に作動させることができる。
【００６４】
また、上述の実施形態では、表示装置９０には、第１及び第２スイッチ９４，９５の２つのスイッチのみが設けられていた。これに限らず、例えば、表示装置９０に表示可能な情報が複数ある場合には、表示装置９０に表示される情報を切り換えるための切換スイッチが更に設けられていてもよい。
【００６５】
さらに、上述の実施形態において、第１スイッチ９４が設けられていなくてもよい。この場合、表示装置９０には、今まで締め付けたシャーボルト１０１の総数が表示されることになる。この構成では、例えば、シャーボルト１０１を何本締め付けるとアウターソケット４３の回転に不具合が生じるか等を検証することができる。
【００６６】
また、上述の実施形態では、表示装置９０は、ハンドル部５０の上端部から、該ハンドル部５０と一体に上側に延設された上方延設部５４に嵌め込まれていた。これに限らず、例えば、ハンドル部５０とは別体で、ヘッド部３０の後側の部分に取り付けられていてもよい。
【００６７】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００６８】
本発明は、ナットとシャーボルトと締結させる電動工具として有用である。
【符号の説明】
【００６９】
１      電動工具
１０    工具本体
２１    電動モータ
３０    ヘッド部（被作動部）
４０    インナーソケット（シャーボルトが係合するソケット）
５０    ハンドル部
５１    把持部
６３    バッテリ本体（バッテリ）
９０    表示装置（表示部）
１００  ナット
１０１  シャーボルト
【図１】
2020075346.tif 000003
【図２】
2020075346.tif 000004
【図３】
2020075346.tif 000005
【図４】
2020075346.tif 000006
【図５】
2020075346.tif 000007
【図６】
2020075346.tif 000008
【図７】
2020075346.tif 000009
【図８】
2020075346.tif 000010